(57)【要約】【課題】  釣り竿仕掛けでの、枝ハリスを幹糸に着脱可能な接続にすること。【解決の手段】スリット１付きの筒体２の端子２ａに紐３に連なるくさび４を一体化するか或は単体くさび４にし、更に該スリット１に近接して、突起６を設けた枝ハリス止め具の構成にする。  また、スリット１１付きのくびれ部と細軸２２ｂを持つ筒体２２の端子２２ａに紐３に連なるくさび４を一体化するか或は単体くさび４にし、更に該細軸２２ｂに回動自在のスリット１付きの筒体２で、該スリット１に近接して、突起６を設けた枝ハリス止め具の構成にする。  また、前記するスリット１付きの筒体２に設けた突起６に位置して２辺或は、１辺の細長い腕体６６にした枝ハリス止め具の構成にする。【選択図】図２
2008079594.tif 000002
【特許請求の範囲】
【請求項１】
スリット付きの筒体の端子に紐に連なるくさびを一体化するか或は単体くさびにし、更に該スリットに近接して、突起を設けた事を特徴とする枝ハリス止め具。
【請求項２】
スリット付きで、くびれ部と細軸を持つ筒体の端子に紐に連なるくさびを一体化するか或は単体でのくさびにし、更に該細軸に回動自在のスリット付きの筒体を合体し、該筒体のスリットに近接して、突起を設けた事を特徴とする枝ハリス止め具。
【請求項３】
前記する回動自在のスリット付きの筒体に設けた突起を２辺或は、１辺の細長い腕体にした事を特徴とする請求項１又は２項記載の枝ハリス止め具。
【請求項４】
前記する筒体のスリットを介して差し込まれた幹糸は、筒体の孔に貫通され、くさびの圧入によって幹糸が筒体の孔に固着され、更に突起又は細長い腕部の先端に位置して、枝針でなる枝ハリスを接続形態にした事を特徴とする請求項１、２又は３項記載の枝ハリス止め具。
【発明の詳細な説明】
【技術分野】
【０００１】  この発明は、釣り場で使う釣り竿仕掛けで、一本の釣り竿に複数の枝針を使って深海魚釣りでの胴づき釣りや投げ込み釣りに用いる枝ハリスに関する。
【背景技術】
【０００２】  この種の従来技術として図６で述べるに、道糸ＡＡを介し幹糸Ａに枝ハリスＢ［以後は枝針（ＢＢ）を含んで呼ぶ］を接続するのに一般的にミツマタヨリモドシＣが使われ、幹糸Ａが切り離されて其の間にミツマタヨリモドシＣのリング体Ｃ１の外周に回動自在に等間隔に接続してなる結節リングＣ２の２個に硬く結ばれ、残る１固の結節リングＣ２には枝ハリスＢが硬く結ばれる構成である。【０００３】  そして又図７で述べる様に、このように幹糸ＡにはミツマタヨリモドシＣを介し枝ハリスＢが接続され、魚を釣るのに魚の群れをなす海底のタナを攻める釣りの為、枝ハリスＢの間隔や枝ハリスＢの本数は魚によって異なるが、場合によっては１０メートルのタナをカバーし、枝針ＢＢ全部に魚を掛けることも有る。これらの胴づき釣りは幹糸Ａの先端にはおもりＥが接続され、釣り竿の端から伸びる道糸ＡＡはヨリモドシＣＣを具備するクッションゴムＤを介しての構成で、深海に生息するアコウダイ、キンメダイ、等での枝ハリスＢは７〜３０本と幅が広く使われ、或はカサゴ、アイナメ等を狙う時は枝ハリスＢは２〜３本が扱い易く根掛かりを避けるために、短い枝ハリスＢを使ったり、テンビンを使った仕掛けが効果的とされる。【０００４】  このように複数の枝ハリスＢを付けタナを垂直に攻める釣りである胴づき釣りの他に投げ込み釣りである岸から少し離れたポイントに生息すカレイ、シロギス、ハゼ、ヒラメ等はエンジン音や船影に敏感なので、多少遠投での投げ込み釣りが選択されるが、幹糸Ａに使う枝ハリスＢは２本程度でミツマタヨリモドシＣを使わずに幹糸Ａに直に結び付け、更に道糸ＡＡと枝ハリスＢの間にテンビンを介して、枝ハリスＢのモッレやカラミを少なくする等の仕掛けが行なわれる。
【発明の開示】
【発明が解決しようとする課題】
【０００５】  しかしながら上記する従来技術の場合は、幹糸Ａに取り付けた枝ハリスＢはいったん接続した枝ハリスＢは途中から枝ハリスＢの長さの変更や、間隔を変える事が出来ない等の課題がある。【０００６】  又枝ハリスＢを幹糸Ａに接続するのに糸の結びに時間がかかり、或は糸の結びが緩むなどでハリスＢが魚の引っ張りに不測に魚を取り逃がす等の課題がある。【０００７】  更には、枝ハリスＢの移動や後始末に、数本の枝ハリスＢが絡み付き取り扱いに難で有る等の課題が残る。
【課題を解決するための手段】
【０００８】  この発明はかかる課題を解決する為に、請求項１での発明は図１で述べるに、スリット１付きの筒体２の端子２ａに紐３に連なるくさび４を一体化するか或は単体くさび４にし、更に該スリット１にまたがつて突起６を設けた構成とする。【０００９】  次ぎに請求項２での発明を図３で述べるに、スリット１１付きのくびれ部と細軸２２ｂを持つ筒体２２の端子２２ａに紐３付きのくさび４を一体化するか或は単体でのくさび４にし、更に該細軸２２ｂのに回動自在のスリット１付きの筒体２で、該スリット１にまたがって突起６を設けた構成にする。【００１０】  又次ぎに請求項３での発明を図５で述べるに、前記するスリット１付きの筒体２に設けた突起６の２辺或は、１辺を腕部６６にした構成にする。【００１１】  更に又請求項４での発明を図２、図４、図５で述べるに、前記する筒体２，２２のスリット１，１１に差し込まれた幹糸Ａは、筒体２，２２の孔２ｂに貫通され、くさび４が圧入されて幹糸Ａが固着され、更に突起６又は腕部６６の先端に位置して枝針ＢＢでなる枝ハリスＢを接続する形態とする。
【発明の効果】
【００１２】  本発明は、上述の通り構成作用するので次ぎの優れた効果を奏する。即ち、第一実施例では、請求項１、４で述べる様に、数本の枝ハリスを幹糸に結合するのに筒体のスリットに幹糸を差し込みくさびで固定するので、枝ハリスの間隔を可変が出来て且つ枝ハリスの品種を其の都度交換が出来、幹糸と枝ハリスとを結び合わせる事のない、枝ハリス止め具を提供出来る。【００１３】  次ぎに第二実施例では、請求項２、４で述べる様に、合体する２個のスリット付き筒体の片方の回動する筒体に枝ハリスを接続できる事で枝ハリスの変則な魚の付き回りで幹糸や枝ハリス同志の絡み、もつれ、よじれを防ぐ事の出来る幹糸にヨリモドシを結び付ける事のない、枝ハリス止め具を提供出来る。【００１４】  又次ぎに第三実施例では、請求項３、４で述べる様に、第二実施例での回動する筒体に一体化した細長い腕体の先に枝ハリスを接続することで、投げ込み釣りなどの遠投でも糸の絡み、もつれ、を防ぐ事の出来る枝ハリス止め具を提供出来る。【００１５】  このように幹糸に枝ハリスを仕掛けるのに、幹糸を切ったり、結んだりする事が無い着脱自在の為、携帯持ち運び収納、取り扱いに最適な枝ハリス止め具を提供出来る。
【発明を実施するための最良の形態】
【００１６】  以下に図示の実施例に基づいて本発明を更に詳細に説明する。即ち図１は本発明での第一実施例に基づく全体斜視図で、合成樹脂製でなる細長い筒体２は孔２ｂが開口するが長手方向に一本のスリット１を設け、これらのスリット１の双方サイドに突起６が飛び出し、夫々に小孔５が開口し、更に筒体２の長手方向の一方の端子２ａに一体化した屈曲自在での紐３が伸び、其の先には、先端丸棒状で成るくさび４が吊り下がるが、これらの紐３に連なるくさび４は、紐３なしでの個別でなるくさび４でもよく、これらのくさび４は筒体２に開口する孔２ｂに程よく差し込み勘合での係合形態が要求され、且つ指先で摘んで筒体２の孔２ｂに抜き差しの容易な形状が望まれる。【００１７】  更に図２はこれらの第一実施例での枝ハリス止め具は、一般的に複数のハリスＢに枝針ＢＢをつけタナを垂直に攻める胴づき釣りに使われ、釣り場において釣り竿から吊るされる道糸ＡＡ最端に幹糸Ａが接続されそれらに数本の枝ハリスＢが一定の間隔をおいて接続され、幹糸Ａの端子にはおもりＥが吊るされ海底に沈めるが、これらの仕掛けでの枝ハリス止め具の使用例での全体斜視図を示すもので、幹糸Ａを筒体２の孔２ａに貫通し要所要所に結合するのに、長い幹糸Ａは筒体２の一本の狭いスリット１から差し込まれ、それらが筒体２に固定するのに端子２ａに紐３で吊るされたくさび４が孔２ａに固めに差し込まれて、孔２ａに貫通する幹糸Ａを挟み込み固定する事が出来る。【００１８】次ぎに図３は本発明での第二実施例に基づく分解での全体斜視図で、合成樹脂製でなる細長い筒体２２は孔２ｂの開口する外周の一部が細軸２２ｂでの段付きから成るくびれ部を持つ其の筒体２２の長手方向に一本のスリット１１を設け、更に筒体２２の長手方向の一方の端子２２ａに一体化した屈曲自在での紐３が連なり、其の先には、先端丸棒状でなるくさび４が吊り下がるが、これらの紐３に連なるくさび４は、紐３なしでの個別でなるくさび４でもよい。【００１９】  更には上記する筒体２２の外周の一部に設けた細軸２２ｂに回動自在のスリット１付きの筒体２で、該スリット１にまたがつて突起６を設けた構成とするが、これらの筒体２は個別に構成し双方の筒体２、２２が一対に組み付け構成するが、本実施例での回動する筒体２の長手に切り込んだスリット１にまたがって対でなる突起６には、小孔５が開口し枝ハリスＢが使用時に差し込まれ接続される事で、スリット１を閉成体と開成体を自在にする構成から成る。【００２０】  又図４は前記する第二実施例での枝ハリス止め具の最適な使用例に基づく全体斜視図で、吊り竿の端子から垂れ下がる道糸側の端は複数の枝ハリスＢが接続する幹糸Ａ側に接続されたこれらの吊り竿仕掛けにおいて、所定の長さの幹糸Ａには複数の枝ハリスＢを所定の間隔をおいて一本づつ接続すのに、細長い筒体２２とそれに合体して回動自在でなる突起６付きの筒体２の双方のスリット１、１１を整合並列して、その切り込み部に幹糸Ａを差し込み筒体２２に開口する孔２ｂに貫通された後にくさび４は固く差し込まれることで、道糸Ａに筒体２２ガ固定され、更に回動自在に構成する筒体２の突起６の小孔５に、個別でなる枝ハリスＢの端部が貫通されて結合され、次々に任���の間隔に同じ方法で枝ハリスＢが幹糸Ａに吊るす事が出来る構成である。【００２１】  次ぎに図５は本発明での第三実施例に基づく枝ハリス止め具の使用例を含んでの全体斜視図で、前記での細長い筒体２２とそれに合体して回動自在でなる筒体２の突起６がそれに替わる腕体６６を設けるが、これらの腕体６６は本実施例では２辺の腕体６６を筒体２のスリット１にまたがって直立し、その先端双方に小孔６６ａを設けた構成から成るもので、これらの使用例においては同図で示すように、２辺の腕体６６の間に幹糸Ａを差し込みくさび４が筒体２２の孔２ｂに固く差し込まれ、更に腕体６６の先端に開口する小孔６６ａに、個別でなるハリスＢの端部が貫通されて結合される。【００２２】  この様に、細長い腕体６６に接続しての枝ハリスＢでの仕掛けによる釣りは餌を遠投して釣りあげる投げ込み釣りに最適な構造で、これらに吊るす２〜３本の枝ハリスＢが糸に絡み合うのを防ぐのに効果的である。即ち幹糸Ａから間隔を置いて枝ハリスＢが接続される事で双方の糸が勝手に動ける空間を持つ事で双方の糸同志の絡みを防止する構成で、該腕体６６は本実施例は２辺の腕体６６とするが、特定するものでなく１辺にし軽量化する事も良く、或いは腕体６６はバネ性の細い金属に構成するなどに代替しても良い。
【図面の簡単な説明】
【００２３】
【図１】  本発明に係わる第一実施例での全体を示す斜視図である。
【図２】  本発明に係わる第一実施例に基づいての使用形態での斜視図である。
【図３】  本発明に係わる第二実施例での全体を示す分解斜視図である。
【図４】  本発明に係わる第二実施例に基づいての使用形態での斜視図である。
【図５】  本発明に係わる第三実施例での使用形態を兼ねての斜視図である。
【図６】  従来技術での要部を示す斜視図である。
【図７】  従来技術の釣り竿仕掛けでの使用形態を兼ねての斜視図である。
【符合の説明】
【００２４】  Ａ          幹糸
Ｂ          枝ハリス
ＢＢ        枝針
１、１１    スリット
２、２２    筒体
２ａ、２２ａ端子
２２ｂ      細軸
３          紐
４          くさび
５、６６ａ  小孔
６          突起
６６        腕部
【図１】
2008079594.tif 000003
【図２】
2008079594.tif 000004
【図３】
2008079594.tif 000005
【図４】
2008079594.tif 000006
【図５】
2008079594.tif 000007
【図６】
2008079594.tif 000008
【図７】
2008079594.tif 000009